(57)【要約】【課題】  フロアから室外への水漏れを確実に防止することができ、かつ製造が容易であるとともに安価につくフロアへの壁パネル設置構造を提供すること。【解決手段】  フロア１２の周縁部に形成された立上げ部２１ａと支持面部２１ｂと係合突部２１ｃとでパネル支持部２１を構成した。また、壁パネル１３ａの下端面室外側部分に係合凹部２３を形成した。そして、パネル支持部２１と壁パネル１３ａとの間に壁パネル設置用部材２２を設置した。この壁パネル設置用部材２２を、支持面部２１ｂと壁パネル１３ａとの間に位置決めされるパネル設置部２２ａと、係合突部２１ｃと壁パネル１３ａとの間に位置決めされる垂直連結部２２ｂと、係合突部２１ｃと壁パネル１３ａの係合凹部２３との間に位置決めされる樋状水溜め部２２ｃとで構成した。また、垂直連結部２２ｂに樋状水溜め部２２ｃ内に連通する水抜き孔２５を設けた。【選択図】  図２
2006225957.tif 000002
【特許請求の範囲】
【請求項１】
フロアの周縁部に沿って形成された立上げ部と、前記立上げ部の上端から室外側に延びる支持面部と、前記支持面部の室外側部分から上方に延びる係合突部とからなるパネル支持部と、下端面における室外側部分が切り欠かれて係合凹部が形成された壁パネルと、前記パネル支持部と前記壁パネルとの間に設置される壁パネル設置用部材とを備えたフロアへの壁パネル設置構造であって、
前記壁パネル設置用部材が、前記支持面部と、前記壁パネルの下端面における室内側部分との間に位置決めされるパネル設置部と、前記パネル設置部の室外側端部から上方に延びて前記係合突部の室内側面と前記壁パネルの係合凹部における室外側に向いた面との間に位置決めされる垂直連結部と、前記垂直連結部の上部側部分から室外側に向って設けられ、前記係合突部と前記壁パネルの下端面における係合凹部との間に位置決めされる樋状水溜め部とを備えていることを特徴とするフロアへの壁パネル設置構造。
【請求項２】
前記樋状水溜め部の下部側部分と前記フロアの上面との間に、前記樋状水溜め部に溜まる水を前記フロアの上面に流すための水抜き路を設けた請求項１に記載のフロアへの壁パネル設置構造。
【請求項３】
前記水抜き路を、前記樋状水溜め部の室内側側壁または前記垂直連結部に設けた水抜き孔で構成した請求項２に記載のフロアへの壁パネル設置構造。
【請求項４】
前記壁パネル設置用部材を中空体で構成するとともに、その所定部分に前記壁パネル設置用部材内に水を入れるための水抜き孔と前記壁パネル設置用部材内から水を排出するための水抜き孔とを設けて前記水抜き路を構成し、前記水抜き路が前記両水抜き孔を介して前記壁パネル設置用部材の内部を通ることにより前記壁パネル設置用部材の上部側部分と底面部との間を連通している請求項２に記載のフロアへの壁パネル設置構造。
【請求項５】
前記壁パネル設置用部材の内部側底面に、室外側から室内側に向かって下り傾斜になった傾斜面を形成した請求項４に記載のフロアへの壁パネル設置構造。
【発明の詳細な説明】
【技術分野】
【０００１】
本発明は、浴室等におけるフロアの周縁部に壁パネルを設置するためのフロアへの壁パネル設置構造に関する。
【背景技術】
【０００２】
従来から、例えば、ユニット式の浴室は、浴槽フロアと洗い場フロアとからなるフロアの周縁部に壁パネルを設置するとともに、各壁パネルの上端部に天井パネルを取り付けて構成されている。そして、各パネルとフロアとの間やパネルどうしの間、特に、フロアへの壁パネルの設置部には、止水構造が設けられて、浴室内の湯水が室外に漏れないようにしている（例えば、特許文献１参照）。
【０００３】
この止水構造を備えた壁パネル設置構造では、フロアの周縁部が、フロアから立ち上がった立ち上がり部と、立ち上がり部の上端縁部から水平に延びる外向きフランジ状の壁載置面部と、壁載置面部の縁部から立ち上がった立ち上がり片とで構成されている。そして、壁載置面部の内部に、壁載置面部の室外側上面から室内側側面（端面）に連通する排水経路が形成されている。このため、壁載置面部と、この壁載置面部の上に設置される壁パネルとの間にフロア側から水が浸入しても、その水は、排水経路を通過してフロア側に流れて行く。この結果、浸入した水がフロアの外部側に漏れることを防止できる。
【特許文献１】特開２００３−６４７４８号公報
【発明の開示】
【０００４】
しかしながら、前述した従来の壁パネル設置構造では、排水経路が形成された壁載置面部がフロアと一体的に成形されているため、製造が難しくなり、製造コストが高くなってしまうという問題がある。すなわち、このようなフロアは、一般的にＦＲＰ等の樹脂材料を成形することにより行われるが、これによると、型形状が複雑になって製造が難しくなり、製造コストが高くなってしまう。
【０００５】
本発明は、前述した問題に対処するためになされたもので、その目的は、フロアから室外への水漏れを確実に防止することができ、かつ製造が容易であるとともに製造コストを抑えることが可能なフロアへの壁パネル設置構造を提供することである。
【０００６】
前述した目的を達成するため、本発明に係るフロアへの壁パネル設置構造の構成上の特徴は、フロアの周縁部に沿って形成された立上げ部と、立上げ部の上端から室外側に延びる支持面部と、支持面部の室外側部分から上方に延びる係合突部とからなるパネル支持部と、下端面における室外側部分が切り欠かれて係合凹部に形成された壁パネルと、パネル支持部と壁パネルとの間に設置される壁パネル設置用部材とを備えたフロアへの壁パネル設置構造であって、壁パネル設置用部材が、支持面部と、壁パネルの下端面における室内側部分との間に位置決めされるパネル設置部と、パネル設置部の室外側端部から上方に延びて係合突部の室内側面と壁パネルの係合凹部における室外側に向いた面との間に位置決めされる垂直連結部と、垂直連結部の上部側部分から室外側に向って設けられ、係合突部と壁パネルの下端面における係合凹部との間に位置決めされる樋状水溜め部とを備えていることにある。
【０００７】
前述したように構成した本発明に係るフロアへの壁パネル設置構造では、フロアの周縁部に形成されたパネル支持部と、壁パネルとの間に、パネル支持部を含むフロアと別部材からなる壁パネル設置用部材を設置して構成されている。したがって、フロアを複雑な形状とすることなく従来と同様な形状で対応することができ、フロアの製造が容易になるとともに、製造コストを抑えることが可能となる。また、壁パネル設置用部材は、例え複雑な形状であっても排水機能を重視した形状に形成することができる。
【０００８】
さらに、フロア側から浸入してくる水を溜めるための樋状水溜め部が、垂直連結部を介してパネル設置部の室外側上方に位置するように設置されているため、フロアからパネル設置部と壁パネルの下端面との間まで水が浸入してもさらに樋状水溜め部の内部までは浸入し難くなる。また、浸入した水が、樋状水溜め部の室内側側面部を超えて樋状水溜め部内に入っても、その水は樋状水溜め部内に溜まるため、室外に漏れることはない。また、この場合、樋状水溜め部に溜まった水は、樋状水溜め部を所定の場所に連通させて、その場所に排水するようにしてもよいし、樋状水溜め部内で蒸発させてもよい。
【０００９】
また、本発明に係るフロアへの壁パネル設置構造の他の構成上の特徴は、樋状水溜め部の下部側部分とフロアの上面との間に、樋状水溜め部に溜まる水をフロアの上面に流すための水抜き路を設けたことにある。これによると、フロア側からパネル支持部と壁パネルとの間に浸入して、さらに樋状水溜め部内に浸入した水は、再度フロアの上面に戻される。このフロアの所定場所には、排水孔が設けられているため、樋状水溜め部からフロアに流れた水は、他の排水される水とともに排水孔から排水される。
【００１０】
また、本発明に係るフロアへの壁パネル設置構造のさらに他の構成上の特徴は、水抜き路を、樋状水溜め部の室内側側壁または垂直連結部に設けた水抜き孔で構成したことにある。これによると簡単な構造で樋状水溜め部に溜まった水をフロア側に戻すことができる。すなわち、樋状水溜め部の室内側側壁または垂直連結部に設けられた水抜き孔は、その下方に位置するパネル設置部を介してフロアの上面に連通している。このため、樋状水溜め部に溜まった水は、水抜き孔から、垂直連結部の室内側面およびパネル設置部の上面を通過して下方のフロア上面に流れて行く。
【００１１】
また、本発明に係るフロアへの壁パネル設置構造のさらに他の構成上の特徴は、壁パネル設置用部材を中空体で構成するとともに、その所定部分に壁パネル設置用部材内に水を入れるための水抜き孔と壁パネル設置用部材内から水を排出するための水抜き孔とを設けて水抜き路を構成し、水抜き路が両水抜き孔を介して壁パネル設置用部材の内部を通ることにより壁パネル設置用部材の上部側部分と底面部との間を連通していることにある。この場合の水抜き孔のうち、壁パネル設置用部材の内部に水を入れるための水抜き孔は、壁パネル設置用部材の上部側部分に設け、壁パネル設置用部材内からフロア側に水を排水するための水抜き孔は、壁パネル設置用部材の下部側部分に設ける。また、壁パネル設置用部材の内部に水を入れるための水抜き孔は、樋状水溜め部に限らず、垂直連結部に設けてもよい。
【００１２】
また、本発明に係るフロアへの壁パネル設置構造のさらに他の構成上の特徴は、壁パネル設置用部材の内部側底面に、室外側から室内側に向かって下り傾斜になった傾斜面を形成したことにある。これによると、フロア側からパネル支持部と壁パネルとの間に漏れて、さらに壁パネル設置用部材内に浸入した水は、スムーズにフロア側に流れていく。このため、壁パネル設置用部材内に入った水は壁パネル設置用部材内に溜まることなく、確実にフロアに流れていく。
【発明を実施するための最良の形態】
【００１３】
（第１実施形態）
以下、本発明に係るフロアへの壁パネル設置構造の第１実施形態を図面を用いて説明する。図１は、同実施形態に係る設置構造２０を備えた浴室ユニット１０を示している。この浴室ユニット１０は、浴槽１１を備えており、浴槽１１は、浴槽フロア１２ａ（図４参照）の上面に設置されている。そして、浴槽フロア１２ａの一方の縁部（浴室ユニット１０の中央側に位置する縁部）には、洗い場フロア１２ｂが接続されている。この浴槽フロア１２ａと洗い場フロア１２ｂとでフロア１２が構成され、フロア１２の周縁部にそれぞれ１枚或いは２枚以上の壁パネルから構成される壁パネル１３ａ，１３ｂ，１３ｃ（図１における手前側の壁パネルは図示せず）が設置されている。
【００１４】
そして、壁パネル１３ａ等の上端には、天井パネル（図示せず）が掛け渡されて固定されている。浴室ユニット１０を構成する浴槽１１、フロア１２、天井パネル等は、それぞれ樹脂の成形体で構成されている。また、壁パネル１３ａには、浴室ユニット１０と脱衣室（図示せず）との間を開閉するためのドア１３ｄが設けられている。そして、フロア１２の上面における壁パネル１３ｂに沿った部分にカウンター１４が設けられ、壁パネル１３ｂにおける浴槽１１およびカウンター１４の上方に棚１５や鏡１６が設けられている。
【００１５】
また、カウンター１４の上面における浴槽１１側部分には、水栓１７が設けられている。そして、カウンター１４の前側面における壁パネル１３ａ側部分には、シャワー１８が設けられ、その先端把持部が壁パネル１３ａに設けられた支持部１８ａに着脱可能に保持されている。また、壁パネル１３ａには、手摺１９も設けられている。
【００１６】
フロア１２は、床面部１２ｃと、床面部１２ｃの周縁部から立ち上がったパネル支持部２１とで構成されており、パネル支持部２１の上部には壁パネル１３ａ等が並んだ状態で設置されている。そして、設置構造２０は、図２に示したように、パネル支持部２１、壁パネル１３ａ等（以下、壁パネル１３ａとして説明する。）および壁パネル設置用部材２２で構成されている。パネル支持部２１は、床面部１２ｃの周縁部から上方に延びる立上げ部２１ａと、立上げ部２１ａの上端から浴室ユニット１０の室外側（図２における左側）に向かって水平方向に延びる支持面部２１ｂと、支持面部２１ｂの先端部に設けられ、その先端部の上下にそれぞれ延びる係合突部２１ｃとで構成されている。
【００１７】
また、壁パネル１３ａの下端部における室外側部分には、係合凹部２３が壁パネル１３ａの下面２４の長手方向に沿って設けられている。この係合凹部２３の上面は、室外側に形成された幅の広い天井面２３ａと、天井面２３ａと下面２４との間に形成された幅の狭い段部２３ｂとで構成されている。そして、天井面２３ａと下面２４との幅は略等しい長さに設定され、段部２３ｂの高さ方向の位置は、下面２４よりもやや天井面２３ａに近い位置になるように設定されている。したがって、壁パネル１３ａの下端部は、下面２４、段部２３ｂ、天井面２３ａの順に室内側から室外側に向けて高くなった段状に形成されている。
【００１８】
壁パネル設置用部材２２は、アルミの押出し材からなっており、室内側から室外側に向って水平方向に延びるパネル設置部２２ａと、パネル設置部２２ａの室外側端部から上方に延びる垂直連結部２２ｂと、垂直連結部２２ｂの上部における室外側部分に形成された樋状水溜め部２２ｃとで構成されている。そして、樋状水溜め部２２ｃの下面における幅方向の中央部には、下方に向って延びる係合片２２ｄが樋状水溜め部２２ｃの長手方向に沿って形成されている。また、図３に示したように、垂直連結部２２ｂの所定部分には、樋状水溜め部２２ｃの内部に連通する水抜き孔２５が形成されている。この水抜き孔２５は、水平方向に長くなった長円形に形成され、垂直連結部２２ｂの長手方向に沿って所定の間隔を保って複数個形成されている。
【００１９】
また、壁パネル設置用部材２２における垂直連結部２２ｂの室内側面と上端面および樋状水溜め部２２ｃの室内側面には、シート状のシール部材２６ａが貼り付けられ、垂直連結部２２ｂの室外側面と樋状水溜め部２２ｃの下面における室内側部分には、シート状のシール部材２６ｂが貼り付けられている。さらに、パネル設置部２２ａの下面には、板状のシール部材２６ｃが貼り付けられている。なお、シール部材２６ａにおける水抜き孔２５に対応する部分には、水抜き孔２５と同形の穴部が形成されて水抜き孔２５の一部を構成している。
【００２０】
このように構成された壁パネル設置用部材２２は、パネル設置部２２ａをパネル支持部２１の支持面部２１ｂと壁パネル１３ａの下面２４との間に位置させ、樋状水溜め部２２ｃを係合突部２１ｃと係合凹部２３との間に位置させた状態で、パネル支持部２１と壁パネル１３ａとの間に設置されている。この場合、垂直連結部２２ｂと係合片２２ｄの間に係合突部２１ｃの上部側部分を差し込むことにより、壁パネル設置用部材２２は、パネル支持部２１に取り付けられ、壁パネル設置用部材２２とパネル支持部２１との接触部は、シール部材２６ｂ，２６ｃによってシールされている。
【００２１】
また、壁パネル１３ａは、下面２４をパネル設置部２２ａ上に接面させ、段部２３ｂをシール部材２６ａを介して垂直連結部２２ｂの上端面に載せるとともに、天井面２３ａを樋状水溜め部２２ｃの両側部の上端に載せた状態で、壁パネル設置用部材２２上に設置されている。また、この場合、垂直連結部２２ｂと樋状水溜め部２２ｃとの室内側面と壁パネル１３ａの係合凹部２３の側面との接触部は、シール部材２６ａによってシールされている。
【００２２】
また、この壁パネル設置用部材２２の端部には、樋状水溜め部２２ｃ内を堰するための堰部材２７が取り付けられる。この堰部材２７は、四角板状の壁部２７ａと、壁部２７ａの一方の面に形成された係合部２７ｂとで構成されている。そして、この堰部材２７は、係合部２７ｂを樋状水溜め部２２ｃの端面側から内部に嵌め込み、壁部２７ａを樋状水溜め部２２ｃの端面に接合させた状態で壁パネル設置用部材２２に取り付けられる。この堰部材２７によって、樋状水溜め部２２ｃの両端は止水される。
【００２３】
この設置構造２０は、フロア１２の周縁部に沿って設けられており、図４に示した壁パネル設置用部材２２におけるフロア１２の角部に対応する部分は、図５に示した接続部材２８で接続されている。接続部材２８は左右対称に形成されており、両端面が直交する角度になるように形成されている。そして、接続部材２８の上面における外部側部分には深さの浅い溝部２９が縁部に沿って形成され、その両端部が、各端面における外部側上部から突出したＬ形係合部２９ａ，２９ｂに形成されている。
【００２４】
このＬ形係合部２９ａ，２９ｂは、接続部材２８の本体２８ａからその端面に直交する方向に延びるように形成されており、その両側部が底部よりも先方に延びたのちに下方に向って屈曲したＬ形に形成されている。このＬ形係合部２９ａ，２９ｂは、本体２８ａとの間に、堰部材２７を差し込んだ状態で、樋状水溜め部２２ｃの内部側に挿入することができる形状に形成されている。このため、Ｌ形係合部２９ａをフロア１２の角部を挟んだ一方の壁パネル設置用部材２２の樋状水溜め部２２ｃに係合させることにより、接続部材２８を一方の壁パネル設置用部材２２に接続することができる。
【００２５】
また、Ｌ形係合部２９ｂをフロア１２の角部を挟んだ他方の壁パネル設置用部材２２の樋状水溜め部２２ｃに係合させることにより接続部材２８を他方の壁パネル設置用部材２２に接続することができ、これによって、フロア１２の角部を挟んだ両壁パネル設置用部材２２は、接続部材２８によって接続される。なお、接続部材２８を構成する溝部２９およびＬ形係合部２９ａ，２９ｂは硬質の樹脂材料からなり、本体２８ａは内部が硬質の樹脂材料からなり、両端面部分が軟質の樹脂材料で構成されている。
【００２６】
このようにして、複数の壁パネル設置用部材２２と４個の接続部材２８とを組み付けて、パネル支持部２１と壁パネル１３ａとの間に設置することにより、フロア１２の周縁部に沿って設置構造２０を形成することができる。なお、接続部材２８を壁パネル設置用部材２２に接続したときには、溝部２９の底部は、樋状水溜め部２２ｃの底部よりも高い位置にあり、その先端部は、樋状水溜め部２２ｃの内部側に突出した状態になる。したがって、溝部２９内に水が流れ込むと、その水は樋状水溜め部２２ｃ内に流れて行く。
【００２７】
また、壁パネル設置用部材２２および接続部材２８のパネル支持部２１への取り付けは、現場での施工の際に行ってもよいし、予め工場で壁パネル設置用部材２２および接続部材２８をパネル支持部２１に取り付けた状態で浴槽フロア１２ａと洗い場フロア１２ｂを施工現場に搬送してもよい。予め工場で取り付ける場合には、壁パネル設置用部材２２を二分割構造とし、浴槽フロア１２ａと洗い場フロア１２ｂとにそれぞれ壁パネル設置用部材２２と接続部材２８とを取り付けておき、施工現場では、浴槽フロア１２ａと洗い場フロア１２ｂとを組み付ける際に、壁パネル設置用部材２２の端面同士を組み付ける作業を行う。この場合、必要に応じて接続用の部材等を用いる。
【００２８】
本実施形態に係る設置構造２０は、以上のように構成されているため、浴室ユニット１０内で入浴者が湯水を使っても、その湯水がフロア１２と壁パネル１３ａとの間からフロア１２の外部に漏れることを防止できる。すなわち、浴室ユニット１０内で使用した湯水が飛散して、パネル支持部２１と壁パネル１３ａとの接続部に達しても、パネル支持部２１と壁パネル設置用部材２２との対向面は密着できるように精度よく成形することができるとともに、その間には、シール部材２６ｂ，２６ｃが設けられている。このため、パネル支持部２１と壁パネル設置用部材２２との間は、良好なシール性を備えており、これによって水の浸入が防止される。
【００２９】
さらに、パネル支持部２１の室外側部分には、係合突部２１ｃが形成されて上端部の高さが高くなっているため、この係合突部２１ｃを超えて水が外部に漏れることはない。また、設置構造２０に達した水が、壁パネル設置用部材２２と壁パネル１３ａの下面２４との間に浸入しても、垂直連結部２２ｂと樋状水溜め部２２ｃの側面部との高さが高くなっている上に、壁パネル設置用部材２２と壁パネル１３ａとの間は、シール部材２６ａによってシールされている。このため、樋状水溜め部２２ｃの側面部を超えて水が樋状水溜め部２２ｃ内に浸入することは防止される。
【００３０】
また、万一、垂直連結部２２ｂと樋状水溜め部２２ｃの側面部とを超えて水が樋状水溜め部２２ｃ内に流れた場合には、その水は、樋状水溜め部２２ｃ内で蒸発するか、或いは、水抜き孔２５から樋状水溜め部２２ｃの外部に流れ、垂直連結部２２ｂの室内側面およびパネル設置部２２ａの上面を通ってフロア１２の床面部１２ｃ上に流れて行く。そして、その水は、フロア１２に設けられた排水口（図示せず）から所定の排水場所に流れて行く。
【００３１】
このため、壁パネル設置用部材２２と壁パネル１３ａの下面２４との間から浸入した水が、フロア１２の外部に漏れることが防止される。さらに、接続部材２８の溝部２９内に水が流れた場合には、その水は樋状水溜め部２２ｃ内に流れ、樋状水溜め部２２ｃから床面部１２ｃ上に流れて行く。なお、この場合、水抜き孔２５、垂直連結部２２ｂの室内側面およびパネル設置部２２ａの上面で本発明に係る水抜き路が構成される。このように、本実施形態によれば、フロア１２の外部に水が漏れることを防止できるとともに、壁パネル設置用部材２２が、パネル支持部２１と別部材で構成されているため、浴槽フロア１２ａと洗い場フロア１２ｂとを従来と同様な単純な形状により構成することができ、その製造が容易になるとともに、製造コストを抑えることができるという効果が生じる。
【００３２】
（第２実施形態）
図６は、本発明の第２実施形態に係る設置構造３０を示している。この設置構造３０では、壁パネル設置用部材３２における垂直連結部３２ｂおよび樋状水溜め部３２ｃを構成する部分の一部が中空状に形成されている。すなわち、垂直連結部３２ｂおよび樋状水溜め部３２ｃにおける室内側側面部３３ａと底部３３ｂとの肉厚が大きく設定され、その内部に連続した空間部３４が形成されている。また、パネル設置部３２ａは、幅の狭い平面板状に形成されてその下面に支持部３７ａが形成され、垂直連結部３２ｂの下面における室外側端部には支持部３７ｂが形成されている。この支持部３７ａ，３７ｂによって、壁パネル設置用部材３２の室内側下部は台状に形成されている。
【００３３】
そして、図７に示したように、垂直連結部３２ｂの室内側側面部３８ａおよび上端面部３８ｂにそれぞれ水平方向に延びる水抜き孔３５ａ，３５ｂが形成されている。また樋状水溜め部３２ｃの室内側側面部３３ａの上端面および底部３３ｂの上部側の面にそれぞれ水抜き孔３５ｃ，３５ｄが形成されている。さらに、垂直連結部３２ｂの底面部には、空間部３４内に入った水を外部に流すための水抜き孔３５ｅが形成されている。そして、パネル支持部３１の係合突部３１ｃの上端側部分と、壁パネル設置用部材３２における係合突部３１ｃの上端側部分に対向する部分との間にはシール部材３６が取り付けられている。
【００３４】
また、本実施形態に係る壁パネル１３ａの下端部は、壁パネル設置用部材３２の上面に対応する形状に形成されており、前述した第１実施形態の壁パネル１３ａの下端部とは多少形状が異なっているが、略同一形状であるため、同一部分に同一符号を記して説明は省略する。そして、前述したように構成された壁パネル設置用部材３２は、支持部３７ａ，３７ｂをパネル支持部３１の支持面部３１ｂ上に載せ、垂直連結部３２ｂと係合片３２ｄとの間に係合突部３１ｃを差し込んだ状態でパネル支持部３１に取り付けられている。この場合、パネル支持部３１と壁パネル設置用部材３２との間は、シール部材３６によってシールされる。
【００３５】
また、壁パネル１３ａは、下面２４をパネル設置部３２ａ上に接面させ、段部２３ｂを垂直連結部３２ｂの上端面部３８ｂに載せるとともに、天井面２３ａを樋状水溜め部３２ｃの室内側側面部３３ａの上端面と室外側側面部３３ｃの上端部とに掛け渡した状態で、壁パネル設置用部材３２上に設置されている。また、この場合、壁パネル１３ａと壁パネル設置用部材３２との間には、シール部材は設けられていない。この設置構造３０のそれ以外の部分の構成については、前述した第１実施形態の設置構造２０と同一である。
【００３６】
この設置構造３０では、パネル支持部３１の支持面部３１ｂと壁パネル設置用部材３２の支持部３７ａ，３７ｂとの間には、シール部材が設けられていない。しかしながら、係合突部３１ｃと壁パネル設置用部材３２におけるそれに対向する部分との間にシール部材３６が取り付けられているため、この部分への水の浸入が防止される。
【００３７】
また、設置構造３０に達した水が、壁パネル設置用部材３２と壁パネル１３ａの下面２４との間に浸入し、さらに、奥側に浸入した場合には、その水は、垂直連結部３２ｂの室内側側面部３８ａおよび上端面部３８ｂに設けられた水抜き孔３５ａ，３５ｂから空間部３４内に入る。そして、垂直連結部３２ｂの底面部に設けられた水抜き孔３５ｅから支持面部３１ｂ上に流れたのちに、フロア１２の床面部１２ｃ上に流れて行く。
【００３８】
また、浸入した水が、さらに奥側（上部側）に浸入して樋状水溜め部３２ｃの室内側側面部３３ａの上端面に到達した場合には、その水は、水抜き孔３５ｃから空間部３４内に入る。そして、水抜き孔３５ｅから支持面部３１ｂ上を通過して、フロア１２の床面部１２ｃ上に流れて行く。さらに、樋状水溜め部３２ｃの室内側側面部３３ａを超えて、樋状水溜め部３２ｃ内に水が浸入すると、その水は、樋状水溜め部３２ｃ内に溜まるため、樋状水溜め部３２ｃの室外側側面部３３ｃを超えてフロア１２の外部に漏れることがない。
【００３９】
そして、樋状水溜め部３２ｃ内に溜まった水は水抜き孔３５ｄから空間部３４内に入り、水抜き孔３５ｅから支持面部３１ｂ上を通過して、フロア１２の床面部１２ｃ上に流れて行く。このため、壁パネル設置用部材３２と壁パネル１３ａの下面２４との間から浸入した水が、フロア１２の外部に漏れることも防止される。この設置構造３０におけるそれ以外の作用効果については、前述した第１実施形態の設置構造２０と同様である。なお、この場合、水抜き孔３５ａ等、空間部３４および支持面部３１ｂの上面で、本発明に係る水抜き路が構成される。
【００４０】
（第３実施形態）
図８は、本発明の第３実施形態に係る設置構造４０を示している。この設置構造４０では、壁パネル設置用部材４２における垂直連結部４２ｂの室内側側面部４８ａと上端面部４８ｂに形成された水抜き孔４５ａ，４５ｂおよび樋状水溜め部４２ｃの室内側側面部４３ａの上端面に形成された水抜き孔４５ｃの周縁部にそれぞれ溝部４１ａ，４１ｂ，４１ｃが形成されている。溝部４１ａは、水抜き孔４５ａの室内側周縁部を切り欠いて形成されており、これによって、水抜き孔４５ａの室内側開口と室内側側面部４８ａの表面との間に段差が設けられている。
【００４１】
また、溝部４１ｂは、水抜き孔４５ｂの上部側周縁部を切り欠いて形成され、溝部４１ｃは、水抜き孔４５ｃの上部側周縁部を切り欠いて形成されている。これによって、水抜き孔４５ｂの上部側開口と上端面部４８ｂの上面との間に段差が設けられ、水抜き孔４５ｃの上部側開口と室内側側面部４３ａの上端面との間に段差が設けられている。この設置構造４０のそれ以外の部分の構成については、前述した第２実施形態の設置構造３０と同一である。したがって、同一部分に同一符号を記して説明は省略する。
【００４２】
このように構成したため、溝部４１ａ，４１ｂ，４１ｃの近傍に浸入してきた水がそれぞれ水抜き孔４５ａ，４５ｂ，４５ｃのうちの対応する部分に流れ易くなる。これによって、壁パネル設置用部材４２と壁パネル１３ａとの間に浸入してきた水をより効果的にフロア１２側に戻すことができる。この設置構造４０におけるそれ以外の作用効果については、前述した第２実施形態の設置構造３０と同様である。なお、この場合の溝部４１ａ，４１ｂ，４１ｃは、段状に形成してもよいし、テーパ状に形成してもよく、更には、壁パネル設置用部材４２の長手方向に沿って各水抜き孔４５ａ等を連結するように構成することも可能である。
【００４３】
（第４実施形態）
図９は、本発明の第４実施形態に係る設置構造５０を示している。この設置構造５０では、壁パネル設置用部材５２における垂直連結部５２ｂの底面部５１および樋状水溜め部５２ｃの底面部５２の上面が、ともに室外側から室内側に向けて下り傾斜になった傾斜面に形成され、底面部５１の傾斜面の下端部に水抜き孔５５が形成されている。この設置構造５０のそれ以外の部分の構成については、前述した設置構造３０と同一である。したがって、同一部分に同一符号を記して説明は省略する。
【００４４】
このように構成したため、空間部３４内に入り、底面部５１，５３上に流れた水は、底面部５１，５３上に形成された傾斜面に沿って、水抜き孔５５側に流れ、水抜き孔５５から壁パネル設置用部材５２の外部に出ていく。これによって、壁パネル設置用部材５２の空間部３４内に浸入してきた水をより効果的にフロア１２側に戻すことができる。この設置構造５０におけるそれ以外の作用効果については、前述した第２実施形態の設置構造３０と同様である。
【００４５】
（第５実施形態）
図１０は、本発明の第５実施形態に係る設置構造が備える壁パネル設置用部材６２を示している。この壁パネル設置用部材６２における垂直連結部６２ｂの室内側側面部６８ａと上端面部６８ｂにそれぞれ円形の水抜き孔６５ａ，６５ｂが形成され、樋状水溜め部６２ｃの室内側側面部の室内側面６９ａ、上端面６９ｂおよび底面部の上面部６９ｃにそれぞれ円形の水抜き孔６５ｃ，６５ｄ，６５ｅが設けられている。そして、垂直連結部６２ｂの底面部６１にも円形の水抜き孔６５ｆが形成されている。
【００４６】
この壁パネル設置用部材６２を備えた設置構造のそれ以外の部分の構成については、前述した第２実施形態の設置構造３０と同一である。したがって、同一部分に同一符号を記して説明は省略する。なお、この壁パネル設置用部材６２を、パネル支持部３１と壁パネル１３ａとの間に取り付けたときの状態は、図６と同様になる。この設置構造によると、水抜き孔６５ａ等を形成するための加工が容易になる。この設置構造におけるそれ以外の作用効果については、前述した第２実施形態の設置構造３０と同様である。
【００４７】
（第６実施形態）
図１１は、本発明の第６実施形態に係る設置構造７０を示している。この設置構造７０では、壁パネル設置用部材７２における垂直連結部７２ｂを構成する部分と樋状水溜め部７２ｃを構成する部分との間に天井部７４が形成されている。そして、その天井部７４の中央部にガイド溝７５が壁パネル設置用部材７２の長手方向に沿って形成されている。また、樋状水溜め部７２ｃは小さな溝部で構成され、その室外側側面部７６の上端部から室内側に向ってストッパ７６ａが延びている。したがって、天井部７４の室外側端部とストッパ７６ａの先端部との間に隙間が設けられており、この隙間から樋状水溜め部７２ｃ内に水が入ることができる。
【００４８】
なお、この壁パネル設置用部材７２には、水抜き孔は設けられてない。また、本実施形態で使用される壁パネル７３の下端部は、壁パネル設置用部材７２の上面に対応する形状に形成されており、ガイド溝７５に対応する部分には、被ガイド突起７７が形成されている。このため、壁パネル７３は、下面７３ａをパネル設置部７２ａ上に接面させ、段部７３ｂを垂直連結部７２ｂの上端面に載せるとともに、被ガイド突起７７をガイド溝７５内に差し込んだ状態で壁パネル設置用部材７２上に設置される。また、その際、壁パネル７３の天井面７３ｃは、天井部７４とストッパ７６ａとに掛け渡された状態になる。この設置構造７０のそれ以外の部分の構成については、前述した設置構造３０と同一である。
【００４９】
このように構成したため、壁パネル７３を取り付けるときの位置決めが容易になり施工作業が簡単になる。また、壁パネル７３を設定位置に正確に取り付けることができる。また、被ガイド突起７７とガイド溝７５を設けたことによって、水が浸入する際の水路が複雑になり、水が浸入し難くなる。また、この実施形態においては、水が樋状水溜め部７２ｃ内に入った場合には、その水は、樋状水溜め部７２ｃ内で蒸発するか、樋状水溜め部７２ｃに沿って所定の排水場所に流れる。この設置構造７０におけるそれ以外の作用効果については、前述した第２実施形態の設置構造３０と同様である。
【００５０】
また、本発明に係るフロアへの壁パネル設置構造は、前述した各実施形態に限定するものでなく、適宜変更して実施することが可能である。例えば、前述した設置構造２０では、パネル設置部２２ａの下面にシール部材２６ｃが貼り付けられ、他の設置構造３０等では、この部分にシール材が設けられていないが、設置構造３０等でもシール部材を用いることができる。また、その場合、乾式メジ材を壁パネル１３ａと壁パネル設置用部材３２等の間に差し込んでもよい。
【００５１】
また、第１実施形態の壁パネル設置用部材２２における垂直連結部２２ｂとパネル設置部２２ａとに、水抜き孔２５からフロア１２側に延びる溝部を設けることもできる。これによると、水抜き孔２５から出た水が確実にフロア１２に戻るようになる。さらに、前述した各実施形態では、設置構造２０等を浴室ユニット１０に設けているが、この発明に係る設置構造は、浴室ユニットだけでなく、トイレユニットや洗面室ユニット等、各種衛生設備室に用いられる止水機能が要求されるフロアと壁パネルを備えたものであれば利用が可能である。また、前述した部分以外の部分の構成についても、前述した各実施形態に限定することなく、本発明の技術的範囲内で適宜変更して実施することができる。
【図面の簡単な説明】
【００５２】
【図１】本発明に係る設置構造を備えた浴室ユニットを示した斜視図である。
【図２】本発明の第１実施形態に係る設置構造を示した断面図である。
【図３】第１実施形態に係る設置構造が備える壁パネル設置用部材を示した斜視図である。
【図４】壁パネル設置用部材をフロアに取り付けた状態を示した平面図である。
【図５】接続部材を示した斜視図である。
【図６】本発明の第２実施形態に係る設置構造を示した断面図である。
【図７】第２実施形態に係る設置構造が備える壁パネル設置用部材を示した斜視図である。
【図８】本発明の第３実施形態に係る設置構造を示した断面図である。
【図９】本発明の第４実施形態に係る設置構造を示した断面図である。
【図１０】第５実施形態に係る設置構造が備える壁パネル設置用部材を示した斜視図である。
【図１１】本発明の第６実施形態に係る設置構造を示した断面図である。
【符号の説明】
【００５３】
１０…浴室ユニット、１２…フロア、１２ａ…浴槽フロア、１２ｂ…洗い場フロア、１２ｃ…床面部、１３ａ，１３ｂ，１３ｃ，７３…壁パネル、２０，３０，４０，５０，７０…設置構造、２１，３１…パネル支持部、２１ａ…立上げ部、２１ｂ，３１ｂ…支持面部、２１ｃ，３１ｃ…係合突部、２２，３２，４２，５２，６２，７２…壁パネル設置用部材、２２ａ，３２ａ…パネル設置部、２２ｂ，３２ｂ，４２ｂ，５２ｂ，６２ｂ，７２ｂ…垂直連結部、２２ｃ，３２ｃ，４２ｃ，５２ｃ，６２ｃ，７２ｃ…樋状水溜め部、２３…係合凹部、２３ａ…天井面、２３ｂ…段部、２４…下面、２５，３５ａ，３５ｂ，３５ｃ，３５ｄ，３５ｅ，４５ａ，４５ｂ，４５ｃ，５５，６５ａ，６５ｂ，６５ｃ，６５ｄ，６５ｅ，６５ｆ…水抜き孔、３４…空間部
【図１】
2006225957.tif 000003
【図２】
2006225957.tif 000004
【図３】
2006225957.tif 000005
【図４】
2006225957.tif 000006
【図５】
2006225957.tif 000007
【図６】
2006225957.tif 000008
【図７】
2006225957.tif 000009
【図８】
2006225957.tif 000010
【図９】
2006225957.tif 000011
【図１０】
2006225957.tif 000012
【図１１】
2006225957.tif 000013